(57)【要約】【課題】羽毛布団、重ね合わせ羽毛布団、羽毛布団と重ね合わせ布団の布団カバーとの使用形態について布団カバー内で多くの係り止めをする煩わしさの改善を提供する。【解決手段】羽毛の軽くて暖かく、ドレープ性に富んだ特質は羽毛布団、重ね合わせ羽毛布団、羽毛布団と重ね合わせ布団に於いて布団カバー内での装着は布団カバー角の４箇所、その中央の４箇所計８箇所の係り止めが一般である。この係り止めの煩わしさの解決手段として羽毛布団に当て表地を設け、その羽毛布団と当て表地の間に薄くて軽い着脱機能仕様で適度の弾力のある張掛を装着した快適寝布団を提供する。【選択図】  図１
2005287563.tif 000002
【特許請求の範囲】
【請求項１】
羽毛布団の特徴であるドレープ性、しなやかなさが布団カバーとの使用形態に於いて係り止めを多く設けないと羽毛布団と布団カバーの使用勝手が悪い、一般に布団カバー内で４角とその中央の４個所計８箇所羽毛布団と布団カバーの係り止めをする。この係り止めの作業は大変な労力を要する。以上の課題を解決する為に請求項１の発明は図１、図２、図３、図４に示すように快適寝羽毛布団（２）の羽毛布団（U）と快適寝羽毛布団（２）に設けた当て表地（４）との間（３）に着脱機能仕様で、薄くて軽く適度の張りのある快適寝張掛（１０１）を装着した快適寝布団（１）を、図１２で示すように布団カバー（K）内の係り止め紐（A）、（B）、（C）、（D）、（E）、（F）、（G）、（H）と装着することなく快適仕様を特徴とする快適寝布団（１）である。快適寝布団はこのように重ね合わせ仕様の為、季節により使い分けも出来、収納も便利である。図５の快適寝張掛（１０１）に季節に合った寝具を結び紐等で係り止めした後に布団カバーに装着するだけの作業で快適に使用出来る使い方もある。快適寝布団は布団カバー内での係り止めの煩わしさから開放されることを特徴とする快適寝布団である。又羽毛布団と他の寝具を重ね合わせて利用する場合、他の合わせ布団を従来のように上に置いてその羽毛布団の持っている柄行の良さを無くすることなく図３、図４で示すように、快適寝羽毛布団（２）の当て表地（４）の下部の（３）に利用する他の合わせ布団を快適寝張掛（１０１）と装着した後に布団カバーに挿入すれば、快適寝羽毛布団（２）の持つ柄行きは活かされる。寝具だから寝られれば良いと言う事だけでなく部屋の雰囲気造りも快適な眠りを誘う、寝生活のエンジョイ面をも考慮したことを特徴とする快適寝布団である。
【発明の詳細な説明】
【技術分野】
【０００１】
本発明は羽毛布団、重ね合わせ羽毛布団、羽毛布団と他の重ね合わせ布団に付いて布団カバーとの使い勝手の改善に関するものである。
【背景技術】
【０００２】
従来の羽毛布団、重ね合わせ羽毛布団、羽毛布団と他の重ね合わせ布団に付いて布団カバーとの使用形態に於いては一般的に４角とその中間の４箇所計８箇所係り止めをしている。８箇所係り止めしていても図９、図１０に示すように羽毛は一つ一つが浮遊の形態であり布団側内を自由に居心地の良い、広い伸び伸びとしたところ、中央個所へ集合する特質がある。その為、羽毛布団の特徴、軽くて暖かく、ドレープ性、しなやかさがあるが反面そのドレープ性、しなやかさが布団カバーとの係り止めを多く設けないと使用勝手が悪い。その係り止めを多く設けないと使用勝手が悪い欠点を補ったのものは見当たらない。他の綿わた、ポリエステル綿、羊毛、羊毛混等の素材で出来た布団と比較して布団カバーとの折り合いが悪い、理由として他の素材は中綿素材が繊維状であり、お互いが絡み合って、布団側内で自由に動けないからである。又薄い重ね合わせ羽毛布団に於いては特に布団カバーとの折り合いが悪く布団カバーの中でたくれて仕方がない。羽毛布団の嫌いな方で布団カバーとの不具合、布団カバーとの係り止めの面倒さを理由にする方は多い。又折角柄行の良い羽毛布団であっても寒い時期、羽毛布団は人体の肌側でその上に毛布、肌掛等と重ね合わせて使用するのが一般的であるが、その場合、羽毛布団の表柄が如何に良くても重ね置いた寝具感覚となり、寝環境、お部屋の雰囲気に乏しい。
以下、従来の上記説明に関連する情報の所在を記載する。
【特許文献１】特許公開平８−１０１２１号公報
【特許文献２】特許公開２０００−５０１６号公報
【特許文献３】特許公開２００２−４２２号公報
【特許文献４】特許公開２００２−２０９６９７号公報
【特許文献５】特許公開２００３−７０６０８号公報
【発明の開示】
【発明が解決しようとする課題】
【０００３】
しかしながら、以上の従来の技術によれば羽毛布団と布団カバー、重ね合わせ羽毛布団と布団カバー、羽毛布団と他の重ね合わせの布団と布団カバーとの装着は係り止めの数の多さが解決策であった。そこで羽毛布団と布団カバー、重ね合わせの羽毛布団と布団カバー、羽毛布団と他の重ね合わせの布団と布団カバーとの装着の煩わしさを解消することを特長とする請求項１の快適寝布団を提供することを課題とする。
【課題を解決するための手段】
【０００４】
以上の課題を解決する為に請求項１の発明は図１、図２、図３、図４に示すように快適寝羽毛布団（２）の羽毛布団（U）と快適寝羽毛布団（２）に設けた当て表地（４）との間（３）に着脱機能仕様で、薄くて軽く適度の張りのある快適寝張掛（１０１）を装着した快適寝布団（１）を、図１２で示すように布団カバー（K）内の係り止め紐（A）、（B）、（C）、（D）、（E）、（F）、（G）、（H）と装着することなく快適仕様を特徴とする快適寝布団（１）である。快適寝布団はこのように重ね合わせ仕様の為、季節により使い分けも出来、収納も便利である。図５の快適寝張掛（１０１）に季節に合った寝具を結び紐等で係り止めした後に布団カバーに装着するだけの作業で快適に使用出来る使い方もある。快適寝布団は布団カバー内での係り止めの煩わしさから開放されることを特徴とする快適寝布団である。又羽毛布団と他の寝具を重ね合わせて利用する場合、他の合わせ布団を従来のように上に置いてその羽毛布団の持っている柄行の良さを無くすること
なく図３、図４で示すように、快適寝羽毛布団（２）の当て表地（４）の下部の
（３）に利用する他の合わせ布団を快適寝張掛（１０１）と装着した後に布団カバーに挿入すれば、快適寝羽毛布団（２）の持つ柄行きは活かされる。寝具だから寝られれば良いと言う事だけでなく部屋の雰囲気造りも快適な眠りを誘う、寝生活のエンジョイ面をも考慮したことを特徴とする快適寝布団である。
【発明の効果】
【０００５】
以上説明したように従来の技術によれば羽毛布団と布団カバー、重ね合わせ羽毛布団と布団カバー、羽毛布団と他の重ね合わせの布団と布団カバーとの装着は係り止めの数の多さ、接合方法が解決策であった。しかしながら使い勝手の良さは係り止めの数の多さでは大変な作業である。これらの煩わしさ、不便さを解消
する為に本発明は、羽毛の特質を研究した結果図１、図５で示すように快適寝張掛（１０１）を図３の（３）個所に装着する事により羽毛布団の厚さを中央部、端に関わらず均等化する働きかけをし、快適寝張掛（１０１）の適度な張で羽毛布団の特徴ドレープ性、しなやかさを損なわずに布団カバーとの係り止め、装着の煩わしさから開放された。先にも記述したように羽毛は単体で浮遊性があり居心地の良い個所へ自由に移動する、他の寝具素材、綿わたを始めポリエステル綿、羊毛、羊毛混等は繊維状でありお互いが絡み合い、圧迫しても大きく容を変えない、羽毛の場合少しの押さえ、手を置いた位でそこには羽毛は無く他の個所へ移動している。この羽毛の特質を知って、羽毛の特質を活かし、布団カバーとの折り合いを良くし、従来の羽毛布団と布団カバーの係り止めの煩わしさを解消する最大の発明効果である。又季節により適応した寝具を使い分けることから、少しでも経済、収納面から重ね合わせの良い寝具が時代のニーズに必要ではないかと思考錯誤の中から生まれた快適寝布団（１）は従来の重ね合わせ布団と比較し前項で記述した係り止めの面倒から解消されただけでなく、暑さ、寒さの調節にも組み合わせや表裏を変えることで微妙な天候変化にも対応の快適仕様となっている発明効果である。又重ね合わせ布団として従来のものは部屋の雰囲気を損なう感が強かった。快適寝布団は図１、図３で示すように重ね合わせ布団を（３）に挿入する快適仕様設計、美的効果も発明効果である。又従来の羽毛布団には針や
糸が使用出来ず襟カバーの取り付けは布団カバーに着けて対処されていたが本発明の快適寝布団は（４）が設けてあり針、糸、安全ピンが使用出来る。又従来の羽毛布団の仕様であれば羽毛布団の上に毛布を重ね置きした場合、毛布の毛足で見事にずれ落ち風邪等健康を害することがある。その点図３の当て表地（４）、（４）の下部の（３）の仕様により毛布等毛足があるものを置いても縦、横共に
ずれ落ちる心配がなく、本発明の効果は多様性に富んでいる。
【発明を実施するための最良の形態】
【０００６】
この発明の実施形態を実施例にもとづき図面を参照して説明する。
【実施例】
【０００７】
この発明の快適寝布団（１）は図１、図２で示すように快適寝羽毛布団（２）と快適寝張掛（１０１）の構成で出来ている。
【０００８】
快適寝羽毛布団（２）は図３、図４で示すように快適寝羽毛布団（２）の羽毛布団（U）と快適寝羽毛布団（２）の当て表地（４）から構成されており、当て表地（４）の取り付けは（２a）、（２b）、（２ｃ）、（２d）、（２e）、（２f）、（２g）、（２h）の仕様形態とし、又快適寝羽毛布団（２）には係り止め（１a）、（１b）、（１c）、（１d）、（１e）、（１f）、（１g）、（１h）、（１i-１）（１j-１）、（１i-２）（１j-２）を設けている。
【０００９】
快適寝張掛（１０１）は快適寝張掛の詰め物（１０２）とその側生地、又（１０１a）、（１０１b）、（１０１c）、（１０１d）、（１０１e）、（１０１f）、（１０１g）、（１０１h）の係り止めから構成されている。
【００１０】
又図３、図４、で示すように（１a）、（１b）、（１c）、（１d）の係り止めは各コナーより縦方向の内側に設けてある。これは図７、図８で示すように快適寝羽毛布団（２）と布団カバー（K）の密着をより強くする為に構成し、快適寝羽毛
布団（２）と布団カバー（K）のみ必要な季節に快適に使用出来仕様にしたもの
である。
【００１１】
又この発明の（１）快適寝布団を布団カバーに装着した実施形態を図１１、図１２で示すように快適寝羽毛布団（２）と快適寝張掛（１０１）の組み合わせ快適布団（１）は布団カバーとの相性も良く取り扱い易さ、安定した寝心地は羽毛、
羽毛布団側生地の質は兎も角、寝具としての構造上使い勝手、収納、経済面、インテリア感覚から照らし諸問題を課題とし思考錯誤の中にこの発明が生まれたものである。
【図面の簡単な説明】
【００１２】
【図１】この発明の実施形態を示す快適寝布団の横断面図である。
【図２】この発明の実施形態を示す快適寝布団の平面図である。
【図３】この発明の実施形態を示す快適寝羽毛布団の横断面図である。
【図４】この発明の実施形態を示す快適寝羽毛布団の平面図である。
【図５】この発明の実施形態を示す快適寝張掛の横断面図である。
【図６】この発明の実施形態を示す快適寝張掛の平面図である。
【図７】この発明の実施形態を示す快適寝羽毛布団と布団カバーの係り止め状況の平面図である。
【図８】この発明の実施形態を示す快適寝羽毛布団と布団カバーの係り止め状況の立体図である。
【図９】従来技術を示す羽毛布団と布団カバーの縦断面図である。
【図１０】従来技術を示す羽毛布団と布団カバーの使用形態の立体図である。
【図１１】この発明の実施形態を示す快適寝布団と布団カバーの使用形態の断面図である。
【図１２】この発明の実施形態を示す快適寝布団と布団カバーの装着状況の平面図である。
【符号の説明】
【００１３】
１は快適寝布団
２は快適寝羽毛布団
３は快適寝羽毛布団（２）の羽毛布団（U）と当て表地（４）との間
４は快適寝羽毛布団（２）の当て表地
Uは快適寝羽毛布団（２）の羽毛布団
１a快適寝羽毛布団の係り止
１b快適寝羽毛布団の係り止
１c快適寝羽毛布団の係り止
１d快適寝羽毛布団の係り止
１e快適寝羽毛布団の係り止
１f快適寝羽毛布団の係り止
１g快適寝羽毛布団の係り止
１h快適寝羽毛布団の係り止
１i-１は快適寝羽毛布団（２）の羽毛布団（U）に設けた係り止め紐
１i-２は快適寝羽毛布団（２）の羽毛布団（U）に設けた係り止め紐
１j-１は快適寝羽毛布団（２）の当て表地（４）に設けた係り止め紐
１j-２は快適寝羽毛布団（２）の当て表地（４）に設けた係り止め紐
２aは当て表地取り付けミシン目
２bは当て表地取り付けミシン目
２cは当て表地取り付けミシン目
２dは当て表地取り付けミシン目
２eは当て表地取り付けミシン目
２fは当て表地取り付けミシン目
２gは当て表地取り付けミシン目
２hは当て表地取り付けミシン目
１０１は快適寝張掛
１０２は快適寝張掛の詰め物
１０１a快適寝張掛の係り止
１０１b快適寝張掛の係り止
１０１c快適寝張掛の係り止
１０１d快適寝張掛の係り止
１０１e快適寝張掛の係り止
１０１f快適寝張掛の係り止
１０１g快適寝張掛の係り止
１０１h快適寝張掛の係り止
Kは布団カバー
Aは布団カバー（K）の係り止め
Bは布団カバー（K）の係り止め
Cは布団カバー（K）の係り止め
Dは布団カバー（K）の係り止め
Eは布団カバー（K）の係り止め
Fは布団カバー（K）の係り止め
Gは布団カバー（K）の係り止め
Hは布団カバー（K）の係り止め
UFは従来羽毛布団
a は（UF）の係り止め
bは（UF）の係り止め
cは（UF）の係り止め
dは（UF）の係り止め
eは（UF）の係り止め
fは（UF）の係り止め
gは（UF）の係り止め
hは（UF）の係り止め
【図１】
2005287563.tif 000003
【図２】
2005287563.tif 000004
【図３】
2005287563.tif 000005
【図４】
2005287563.tif 000006
【図５】
2005287563.tif 000007
【図６】
2005287563.tif 000008
【図７】
2005287563.tif 000009
【図８】
2005287563.tif 000010
【図９】
2005287563.tif 000011
【図１０】
2005287563.tif 000012
【図１１】
2005287563.tif 000013
【図１２】
2005287563.tif 000014